(57)【要約】【解決手段】コネクタ（１００）は、嵌合端（１２０，２２０）、ワイヤ受容端（１２２，２２２）、及びハウジングを通る縦軸を有するハウジング（１１０，２１０）を具備する。ハウジングは、複数の差動対にグループ分けされると共に縦軸の周囲に配置された複数のコンタクト（１２８，２２８）を保持する。ハウジング内に、少なくとも１個のシールド部材（１４２）が配置される。このシールド部材は、隣接する差動コンタクト対から各差動コンタクト対を隔離する。
2008541354.tif 000002
【特許請求の範囲】
【請求項１】
嵌合端（１２０，２２０）、ワイヤ受容端（１２２，２２２）、及びハウジングを通る縦軸を有するハウジング（１１０，２１０）を具備し、該ハウジングは、複数の差動対にグループ分けされると共に前記縦軸の周囲に配置された複数のコンタクト（１２８，２２８）を保持する電気コネクタ（１００）において、
前記ハウジング内に、少なくとも１個のシールド部材（１４２）が配置され、
該少なくとも１個のシールド部材は、隣接する差動コンタクト対から各差動コンタクト対を隔離することを特徴とする電気コネクタ。
【請求項２】
前記少なくとも１個のシールド部材（１４２）は前記ハウジング内に配置され、その結果、前記少なくとも１個のシールド部材は相手コネクタの対応するシールド部材と電気的に係合することを特徴とする請求項１記載のコネクタ。
【請求項３】
前記コネクタは、前記ハウジング（１１０，２１０）の前記ワイヤ受容端（１２２，２２２）に取り付けるよう構成されたオーガナイザ（１１４，２１２）をさらに具備し、
該オーガナイザは、差動信号を伝える複数の信号ワイヤ（１６８）を受容する中心開口（１６６）を区画し、
前記オーガナイザは、前記中心開口の周囲に前記ワイヤを差動対に配列することを特徴とする請求項１記載のコネクタ。
【請求項４】
前記コネクタは、前記ハウジング（１１０，２１０）の前記ワイヤ受容端（１２２，２２２）に取り付けるよう構成されたオーガナイザ（１１４，２１２）をさらに具備し、
該オーガナイザは、差動信号を伝える複数の信号ワイヤ（１６８）を受容する中心開口（１６６）を区画し、
前記オーガナイザは、前記中心開口の周囲に前記ワイヤを差動対に配列し、
前記信号ワイヤは、前記オーガナイザが前記ハウジングに取り付けられる際に、各コンタクトに接続されることを特徴とする請求項１記載のコネクタ。
【請求項５】
前記コネクタは、前記ハウジング（１１０，２１０）の前記ワイヤ受容端（１２２，２２２）に取り付けるよう構成されたオーガナイザ（１１４，２１２）をさらに具備し、
該オーガナイザは、差動信号を伝える複数の信号ワイヤ（１６８）を受容する中心開口（１６６）を区画し、
前記オーガナイザは、前記中央開口の周囲に配列されると共に前記ハウジングの各コンタクトと整列する複数のワイヤガイド（１６２）を有し、
前記ワイヤガイドの各々は、前記信号ワイヤの１本の受容するワイヤ補整スロット（１７６）を有し、
前記コンタクトの各々は、前記オーガナイザが前記ハウジングに取り付けられる際に、前記ワイヤを前記コンタクトに接続するために各ワイヤガイドに受容されるワイヤ接続端を有することを特徴とする請求項１記載のコネクタ。
【請求項６】
前記ハウジング（１１０，２１０）は、隣接する差動信号対から各差動信号対を分離させるシールドスロットを有する複数のウエブ（２００，２８０）をさらに具備し、
前記少なくとも１個のシールド部材（１４２）は前記シールドスロット内に配置されることを特徴とする請求項１記載のコネクタ。
【請求項７】
前記コンタクト（１２８，２２８）の各々は、嵌合端（１３０，２３０）及びワイヤ受容端（１３２，２３２）を有することを特徴とする請求項１記載のコネクタ。
【請求項８】
前記ワイヤ接続端（１３２，２３２）は圧接コンタクトを有し、
前記嵌合端（１３０，２３０）はピンコンタクト及びソケットコンタクトのうちの一方を有することを特徴とする請求項６記載のコネクタ。
【請求項９】
前記ハウジング（１１０，２１０）は、前記オーガナイザが前記ハウジングにスナップ係合で取り付けられるように前記オーガナイザと係合するラッチ要素（１４８，２５６）を有するラッチアーム（１４６，２５４）を具備することを特徴とする請求項１記載のコネクタ。
【請求項１０】
前記ハウジング（１１０，２１０）は、複数の井戸（２２６）を有し、
該井戸の各々は、差動コンタクト対を収容し、
前記井戸の各々は、相手コネクタのシュラウド（１３６）を受容するよう構成されていることを特徴とする請求項１記載のコネクタ。
【請求項１１】
前記ハウジング（１１０，２１０）は、複数のシュラウド（１３６）を有し、
該シュラウドの各々は、差動コンタクト対を取り囲み、
前記シュラウドの各々は、相手コネクタの井戸（２２６）に受容されるよう構成されていることを特徴とする請求項１記載のコネクタ。
【請求項１２】
前記コネクタは、前記ハウジング（１１０，２１０）を受容する外部シールド（１１６，２１４）をさらに具備し、
該外部シールドは、前記コネクタを相手コネクタに向けるために該相手コネクタのラッチレバーの一部を受容する立ち上がった溝を有することを特徴とする請求項１記載のコネクタ。
【請求項１３】
前記コネクタは、アダプタハウジング（４２０）を有するアダプタ（４０４）をさらに具備し、
前記アダプタハウジングは、嵌合端（４２６）及びインタフェース端（４２２）を有し、
前記嵌合端（４２６）は、前記ハウジング（２１０）の前記嵌合端（２２０）に受容され、
前記インタフェース端（４２２）における複数のインタフェースコンタクト（４３０）は、第１コンタクトパターンに配列され、
前記嵌合端（４２６）における複数の相手コンタクト（４３４）は、前記第１コンタクトパターンとは異なるが前記第１コネクタコンタクトパターンと相補的な第２コンタクトパターンに配列され、
前記第１及び第２のコンタクトパターンは、該第１コンタクトパターンと相補的なパターンのコンタクトを有する第２コネクタを、前記第１コネクタに電気的に接続させることができることを特徴とする請求項１記載のコネクタ。
【請求項１４】
前記アダプタ（４０４）は、該アダプタを通る中心線を有し、
前記第２コンタクトパターンは、前記中心線の周囲で前記相手コンタクトの間隔を有することを特徴とする請求項１３記載のコネクタ。
【請求項１５】
前記アダプタハウジング（４２０）の前記インタフェース端（４２２）は、ＲＪ−４５プラグを受容するよう構成されていることを特徴とする請求項１３記載のコネクタ。
【請求項１６】
前記複数の相手コンタクト（４３４）の各々は、前記アダプタハウジング（４２０）内で前記複数のインタフェースコンタクト（４３０）の各一に電気的に接続されていることを特徴とする請求項１３記載のコネクタ。
【請求項１７】
前記複数の相手コンタクト（４３４）の各々は前記複数のインタフェースコンタクト（４３０）の各一と一体に形成されていることを特徴とする請求項１３記載のコネクタ。
【請求項１８】
前記アダプタは、印刷回路基板をさらに具備し、
前記複数の相手コンタクト（４３４）の各々は、前記印刷回路基板の電気トレースにより前記複数のインタフェースコンタクト（４３０）に電気的に接続されていることを特徴とする請求項１３記載のコネクタ。
【発明の詳細な説明】
【技術分野】
【０００１】
本発明は、電気コネクタに関し、より特定するとコネクタ内の信号導体間のクロストークを最小化し、コネクタ内の１対の信号導体におけるリターンロスを最小化し、付近のコネクタにおける信号導体からの外部クロストークを最小化するコネクタに関する。
【背景技術】
【０００２】
電気システムにおいて、信号速度及びバンド幅が増大すると、信号の完全性を保つために増大している懸念がある。信号劣化の原因の一つに、複数の信号経路間のクロストークがある。複数の信号を伝送する電気コネクタの場合、第１信号経路にわたって伝わる信号が誘導結合又は容量結合により第２信号経路内に部分的に移る際に、クロストークが生ずる。移った信号は、第２経路にわたって伝わった信号を劣化させるクロストークを第２経路に生成する。
【０００３】
例えば、代表的な工業規格のＲＪ−４５通信コネクタは、異なる信号経路を定める４対の導体を有する。ＲＪ−４５プラグの形状は、工業規格で決定され、元々クロストークを受け易い。従来のＲＪ−４５プラグ・ジャックコネクタにおいて、４対の導体全てが、コネクタ本体の長さにわたって互いに平行に近接して延びる。導体のうちの１対はまた、別の導体対の周囲で分離されている。このため、異なるコネクタ導体対の間及び導体対の中で信号クロストークが誘引されるおそれがある。クロストークの大きさ、又は信号劣化の程度は、一般に、周波数が増加すると増大する。より多いクロストークが、プラグ内のコンタクトと干渉するジャック内のコンタクトにより生成されるおそれがある。信号速度及び密度が増大すると、外部からのクロストーク、又は付近のコネクタ間のクロストークもまた、信号の完全性を保存する際には対処されなければならない。
【発明の開示】
【発明が解決しようとする課題】
【０００４】
少なくともいくつかのＲＪ−４５ジャックは、クロストークを抑圧又は補償することを意図された構造を有する。ＲＪ−４５等のジャックに固有の欠点は、システムが増大し続けるという需要があると、より深刻になることが予測される。従って、事後にクロストークを修正するよりも、始めに内部クロストーク及び外部クロストークの双方を最小化するよう設計されたコネクタを開発することが望ましい。
【０００５】
信号劣化の別の原因は、導体に沿った信号反射の結果生ずるリターンロスである。リターンロスは、信号経路と共に、コネクタ内の種々の要素の中でインピーダンスの変動等の複数の原因により生ずる。リターンロス性能を改善することは、困難であることが証明されている。
【課題を解決するための手段】
【０００６】
課題を解決する手段は、本明細書に開示された電気コネクタにより提供される。このコネクタは、嵌合端、ワイヤ受容端、及びハウジングを通る縦軸を有するハウジングを具備する。ハウジングは、複数の差動対にグループ分けされると共に軸の周囲に配置された複数のコンタクトを保持する。ハウジング内に、少なくとも１個のシールド部材が配置される。このシールド部材は、隣接する差動コンタクト対から各差動コンタクト対を隔離する。シールド部材は、ハウジング内に配置することができるので、相手コネクタの対応するシールド部材と電気的に係合する。
【発明を実施するための最良の形態】
【０００７】
以下、添付図面を参照して本発明を例示により説明する。
【０００８】
図１は、本発明の典型的な一実施形態に従って形成されたコネクタ組立体１００を示す斜視図である。この組立体は、プラグ１０２と、プラグに嵌合するよう構成されたジャック１０４とを有する。ジャック１０４は、壁又はパネルに実装されるか、或いは、デバイスが他の外部ネットワーク接続されたデバイスと通信できる通信ポートを有する電気デバイス又は装置に実装されてもよい。組立体は、４対の差動信号対を伝える組立体で説明される。しかし、本明細書で説明された利点は、別の実施形態ではより少ないか多い数の信号対を伝える他のコネクタにも適用できることが理解されよう。従って、以下の説明は、例示目的のみのために提供されたものであり、本発明の概念の潜在的応用例の一つに過ぎない。
【０００９】
図２は、プラグ１０２の分解斜視図である。プラグ１０２は、ハウジング１１０、オーガナイザ１１４及びキャップ１１６を有する。ハウジング１１０は本体１１８を有し、本体１１８は嵌合端１２０及びワイヤ受容端１２２を有する。本体１１８は誘電性材料から製作され、複数の電気コンタクト１２８を保持する基部１２４を有する。各コンタクト１２８は基部１２４を貫通しており、本体１１８の嵌合端１２０近傍の嵌合端１３０と、本体１１８のワイヤ受容端１２２近傍のワイヤ接続端１３２とを有する。コンタクト１２８は、各差動対の嵌合端１３０がシュラウド１３６により囲まれた状態で、差動対に配列されている。
【００１０】
コネクタ組立体１００は、コネクタ組立体１００を通しての特性インピーダンスを有するよう設計されている。インピーダンス、或いはより具体的には、コンタクト組立体１００を通る信号経路に沿ったインピーダンスの変動は、コネクタ組立体１００のリターンロスの一要素である。コネクタ組立体１００のインピーダンス、及びコネクタ組立体１００内のリターンロスは、特に信号対のコンタクト間の材料であるハウジング材料の誘電特性、差動対のコンタクト間の間隔、直径又は断面等のコンタクトの形状、シールド近接性当の要素により決定される。公知の誘電性材料には、発泡ポリエチレン、未加工ポリエチレン、未加工ポリプロピレン、発泡フッ化ポリマ、未加工フッ化ポリマ、未加工ゴム、セラミック、ガラス、ＦＲ−４印刷回路基板材料、空気等がある。典型的な一実施形態において、コネクタ組立体１００は、100オームの特性インピーダンス、誘電体材料として未加工ポリエチレン及び空気の組合せ、信号コンタクト対間は3.43mmの間隔、1.78mmの公称コンタクト径、信号コンタクト対からシールドまで3.68mmの公称距離を有する。当業者には知られているように、異なる要素の他の組合せでも要求事項を満たすことができる。他の実施形態において、異なるインピーダンス値を使用してもよい。特定の設計目的のために、設計変数を最適化する公知のシミュレーションソフトウエアを使用してもよい。
【００１１】
１対の交差スロット１４０が、基部１２４内に形成されると共に基部１２４を横断して延びている。図示の実施形態において、スロット１４０は本体を４個に区分し、各区分は、差動信号対である１対のコンタクト１２８を保持する。差動コンタクト対を互いに隔離するためにスロット１４０内にシールド部材１４２が設けられることにより、差動対間のクロストークを低減する。シールド部材１４２は、金属又は金属化プラスチック等の導電性材料から製作される。典型的な一実施形態において、シールド部材１４２は金属板である。ラッチアーム１４６（図２には２個のみを図示）が、本体１１８から本体１１８のワイヤ受容端１２２に向かって後方に延びている。ラッチ要素１４８は、各ラッチアーム１４６の端部に形成されている。ラッチアーム１４６は、ハウジング１１０及びオーガナイザ１１４を共にロックするために設けられている。コネクタラッチレバー１５０は、後述するように、プラグ１０２をジャック１０４にラッチするためのラッチ部材１５２を有する。
【００１２】
オーガナイザ１１４は、裏当て板１６０と、裏当て板１６０から延びる複数のワイヤガイド１６２とを有する。一実施形態において、ワイヤガイド１６２は、裏当て板１６０と一体に形成される。ワイヤガイド１６２は複数対に配列され、裏当て板１６０の中心開口１６６の周囲に分配されている。中心開口１６６は、コンタクト１２８のワイヤ接続端１３２に接続するために、信号ワイヤ１６８を受容する。信号ワイヤはケーブル１７０に伝えられる。各ワイヤガイド１６２は、中心に配置されると共に裏当て板１６０に向かって下方に延びる孔１７４を有する。ワイヤ補整スロット１７６は、各孔１７４を横切って延びている。ワイヤ補整スロット１７６は、孔１７４の深さより小さい深さで延びている。各ワイヤ補整スロット１７６は、１本の信号ワイヤ１６８を受容する。ワイヤ１６８の各対は、ケーブル１７０内で或る割合で撚られている。オーガナイザ１１４は、信号ワイヤ１６８の撚り解しを最小にするよう設計されているので、プラグ１０２の任意の不要な電気特性の導入を最小にする。
【００１３】
ワイヤガイド１６２は、コンタクト１２８との接続の準備において、中心開口１６６の周囲に放射状に信号ワイヤ１６８を整理し配列する。典型的な一実施形態において、コンタクト１２８は、ハウジング１１０の対称軸である縦軸Ａ（図３参照）の周囲のハウジング内に対称的に配置されている。例えば、一実施形態において、コンタクト１２８は軸Ａの周囲に配置される。しかし、当業者に知られているように、コンタクト１２８は任意の配置数で用いてもよい。裏当て板の中心開口１６６はハウジング１１０の軸Ａにほぼ整列して配置された中心（図示せず）を有する結果、各ワイヤガイド１６２は１個のコンタクト１２８と整列して位置する。オーガナイザ１１４により、信号ワイヤ１６８は放射状パターンで配列され、差動信号対は共にグループ化されると共に離間・分離される。間隔は、リターンロス性能を強化するよう選択される。信号ワイヤ１６８はまた、ハウジング１１０内で接続される際に長さがほぼ等しくなるようにレイアウトされるので、プラグ１０２内の信号経路を均等にし、プラグ１０２のスキューを防止する。信号ワイヤ１６８は、オーガナイザ１１４がハウジング１１０に取り付けられると、コンタクト１２８に接続される。
【００１４】
裏当て板１６０は、ラッチアーム１４６のラッチ要素１４８を受容する開口１８０を有する。図２に示される実施形態において、裏当て板１６０はほぼ矩形であり、各隅近傍に開口１８０を有する。１個の開口１８０のみが図２に図示されている。ハウジング１１０及びオーガナイザ１１４が結合されると、コンタクト１２８のワイヤ接続端１３２はワイヤガイド１６２の孔１７４に受容され、ラッチ要素１４８は開口１８０に受容されてスナップ係合で裏当て板１６０の後方側１８４にラッチし、ハウジング１１０及びオーガナイザ１１４を共にロックする。キャップ１１６は、ケーブル１７０を受容するカラー１８６を有する。キャップ１１６のタブ１８８は、裏当て板１６０の側縁１９０及び本体１１８の側面１９２に摩擦係合し、ケーブル１７０をオーガナイザ１１４に固定する。キャップ１１６は、金属又は金属化材料から製作される。タブ１８８はまた、シールド部材１４に電気的に接続するためにシールド部材１４２の縁と係合する。ケーブル１７０は、オーガナイザ１１４内に挿入される際に、ケーブル上に折り返されるケーブルシールド（図示せず）を有する。カラー１８６には、ケーブルシールド及びキャップ１１６間を電気的に接続する圧着接続部が形成される。キャップ１１６はまた、コネクタ及び他の電気デバイス間の外部クロストークを低減するために、プラグ１０２の後部にシールドを与える。キャップ１１６はまた、ジャック１０４（図１参照）及びプラグ１０２が嵌合する際に、プラグシールド部材１４２をジャックシールド２１４（図４参照）に電気的に接続する。
【００１５】
図３は、プラグハウジング１１０を後方から見た斜視図である。基部１２４の背面２０２からは、交差ウエブ２００が後方に延びている。スロット１４０は、基部１２４を貫通すると共にウエブ２００内に延びる。ストリップ１４０はウエブ２００を完全には貫通していないので、シールド板１４２（図２参照）はウエブ２００に保持される。ハウジング１１０は、（ラッチレバー１５０を除き）ハウジング１１０の中心２０４を通る対称軸である縦軸Ａを有する。コンタクト１２８の接続端１３２は軸Ａの周囲に配列され、ウエブ２００は差動コンタクト対を互いに分離する。典型的な一実施形態において、コンタクト１２８の接続端１３２は、軸Ａの周辺に配列されている。さらに、シールド部材１４２（図２参照）がスロット１４０内に載置されると、差動コンタクト対は互いにシールドされ、差動コンタクト対間のクロストークを低減又はなくすことができる。
【００１６】
図４は、ジャック１０４の分解斜視図である。ジャック１０４は、ハウジング２１０、オーガナイザ２１２及び外部シールド２１４を有する。ハウジング２１０は本体２１８を有し、本体２１８は嵌合端２２０及びワイヤ受容端２２２を有する。本体２１８は１以上の誘電性材料から製作され、複数のコンタクト井戸２２６を有する基部２２４を有する。各井戸２２６は、１対の電気コンタクト２２８を保持する。各コンタクト２２８は基部１２４を貫通しており、本体２１８の嵌合端２２０近傍の嵌合端２３０と、本体２１８のワイヤ受容端２２２近傍のワイヤ接続端２３２とを有する。コンタクト２２８は差動対に配列されている。井戸２２６は、その形状がプラグハウジング１１０（図２参照）のシュラウド１３６と相補的であり、プラグ１０２及びジャック１０４が互いに嵌合する際にシュラウド１３６を受容するよう構成される。１対の交差スロット２４０が、基部２２４内に形成されると共に基部２２４を横断して延びている。図示の実施形態において、スロット２４０は本体を４個に区分し、各区分は、差動信号対である１対のコンタクト２２８を保持する。差動コンタクト対を互いに隔離するためにスロット２４０内にシールド部材（図示せず）が設けられることにより、差動対間のクロストークを低減する。シールド部材は、金属又は金属化プラスチック等の導電性材料から製作される。
【００１７】
ハウジング本体２１８は、基部２２４から前方に延びるポスト２４４を有する。これらのポスト２４４は、ジャック１０４と嵌合するためにプラグ１０２（図１参照）を受容してプラグ１０２を整列させるガイドとして作用する。隣接する２個のポスト２４４の前方端には、取付けラッチ２５０が回転可能に結合されている。取付けラッチ２５０は、パネル、面板、シャーシ又は電気箱等にジャック１０４の実装を容易にするために設けられている。本体２１８はまた、本体２１８から本体２１８のワイヤ受容端２２２に向かって後方に延びる複数のラッチアーム２５４を有する。図４には、１個のラッチアーム２５４のみが図示される。各ラッチアーム２５４の端部には、ラッチ要素２５６が形成されている。ラッチアーム２５４は、ハウジング２１０及びオーガナイザ２１２を共にロックするために設けられている。オーガナイザ２１２はオーガナイザ１１４と同じであるので、改めて説明しない。
【００１８】
図１に示されるように、組立後のハウジング２１０及びオーガナイザ２１２を囲むために、外部シールド２１４が設けられている。外部シールド２１４は、プラグ１０２（図１参照）及びジャック１０４の嵌合時に、付近のコネクタ（図示せず）、ケーブル又は他の外部ノイズ源からのノイズからプラグ１０２及びジャック１０４を隔離する。外部シールドは、プラグ１０２及びジャック１０４内でシールドするための接地経路等の電気経路を提供する。外部シールド２１４は、プラグ１０２及びジャック１０４内のシールド部材により与えられた内部シールドと協働して、外部クロストーク及び他の外部ノイズ源による信号劣化を最小にする。典型的な一実施形態において、外部シールドは、導電性金属材料から製作される。他の実施形態において、金属化プラスチック等の他の材料も使用できる。さらに、前述したように、いくつかの実施形態では、シールドケーブルも使用される。
【００１９】
外部シールド２１４は、ほぼ箱状である中空の本体２６０を有する。本体２６０は、ジャックハウジング２１０の取付けラッチ２５０と整列する上面２６２を有し、ジャックハウジング２１０を外部シールド２１４内に向ける。上面２６２は、プラグハウジング１１０（図２参照）のラッチレバー１５０を受容するよう構成された立ち上がった溝２６６を有する。このようにして、プラグ１０２（図１参照）は、プラグ１０２及びジャック１０４の嵌合時に、ジャック１０４と整列する。溝２６６は、ラッチレバー１５０のラッチ部材１５２を受容する開口２６８を有し、一旦嵌合すると、ジャック１０４からのプラグ１０２の分離を阻止する。プラグ１０２及びジャック１０４の嵌合を解除した場合、ラッチレバー１５０が押下され、開口２６８からラッチ部材１５２を解放する。その後、ラッチレバー１５０を溝２６６から引抜くと、ジャック１０４からのプラグ１０２の分離が許容される。
【００２０】
図５は、ジャックハウジング２１０を後方から見た斜視図である。基部２２４の背面２８２から後方へ、交差ウエブ２８０が延びている。スロット２４０はウエブ２８０に形成されている。スロット２４０はウエブ２８０を完全には貫通していないので、シールド板はウエブ２８０内に保持される。ハウジング２１０は、取付けラッチ２５０とは無関係にハウジング２１０の中心２８４を通る対称軸である縦軸Ｂを有する。コンタクト２２８は軸Ｂの周囲に配列され、ウエブ２８０は差動コンタクト対を互いに分離する。典型的な一実施形態において、コンタクト２２８の接続端２３２は、軸Ｂの周辺に配列されている。しかし、別の実施形態において、接続端２３２の別の配列も使用することができる。また、シールド部材（図示せず）がスロット２４０内に載置されると、差動コンタクト対は互いにシールドされ、差動コンタクト対間のクロストークを低減又は無くす。
【００２１】
図６は、プラグ１０２（図２参照）に使用されるコンタクト１２８の斜視図である。コンタクト１２８の嵌合端１３０は、ピンコンタクトである。反対側のワイヤ接続端１３２は、樽状の圧接コンタクト（ＩＤＣ）である。ワイヤ接続端１３２は、絶縁物切断縁３０２間に形成されたワイヤ受容スロット３００を有する。絶縁物切断縁３０６は、ワイヤ接続端１３２の開放端に形成されている。オーガナイザ１１４がプラグハウジング１１０に結合されると、コンタクト１２８のワイヤ接続端１３２はワイヤガイド１６２の孔１７４（図２参照）に受容される。絶縁物切断縁３０２は、信号ワイヤ１６８（図２参照）の絶縁物を切断し、ワイヤをコンタクト１２８に接続し、ワイヤとの電気的接続を確立する。同時に、ワイヤ切断縁３０６は、信号ワイヤ１６８の余長を切り落とす。
【００２２】
図７は、ジャック１０４（図４参照）に使用されるコンタクト２２８の斜視図である。コンタクト２２８の嵌合端２３０は、プラグコンタクト１２８のピン部又は嵌合端１３０を受容するよう構成されたソケットコンタクトである。別の観点では、コンタクト２２８は、同じワイヤ接続構造を有する前述したコンタクト１２８と同じである。プラグ１０２（図１参照）及びジャック１０４間のピン・ソケット接続は、例えば、標準的なＲＪ−４５コネクタに見られる公知のブレード・ばね接続よりも信頼性の高い接続を提供する。
【００２３】
図８は、コネクタ組立体１００の壁取付けを示す。図８において、ジャック１０４は、通信接続では一般的であるように、壁（図示せず）に実装されている。ジャック１０４へのアクセスは、面板３５０を通ってすることができる。プラグ１０２及びジャック１０４の嵌合及び嵌合解除は、前述したようにラッチレバー１５０の操作による。
【００２４】
図９は、ジャック１０４、アダプタ４０４及びプラグコネクタ４０８を有するコネクタ組立体４００を示す斜視図である。アダプタ４０４は、プラグ１０２以外のプラグがジャック１０４と嵌合できるようにするインタフェースを提供する。典型的な一実施形態において、プラグ４０８は、標準的なＲＪ−４５プラグである。別の実施形態において、アダプタ４０４は、ＲＪ−４５とは異なる構成を有する他のプラグコネクタを受容するよう構成されてもよい。アダプタ４０４は、ジャック１０４の嵌合端２２０に受容される。アダプタ４０４はハウジング４２０を具備し、ハウジング４２０は、それ自体がプラグコネクタ４０８を受容するインタフェース端４２２を有する。
【００２５】
図１０は、ジャック１０４から分離されたアダプタ４０４を示す、前方から見た分解斜視図である。アダプタ４０４のハウジング４２０は、インタフェース端４２２とは反対側の嵌合端４２６を有する。嵌合端４２６は、ジャック１０４の嵌合端２２０に受容される。アダプタ４０４は、プラグコネクタ４０８（図９参照）内のコンタクト（図示せず）と相補的なコンタクト４３０を有する。典型的な一実施形態において、コンタクト４３０は、ＲＪ−４５プラグと嵌合するよう構成されたばねコンタクトである。
【００２６】
図１１は、ジャック１０４から分離されたアダプタ４０４を示す、後方から見た分解斜視図である。端子コンタクト４３４は、嵌合端４２６で後壁４３８から延びていると共にジャック１０４のコンタクト２２８（図１０参照）と嵌合するよう構成されている。典型的な一実施形態において、後壁４３８は印刷回路基板であってもよい。アダプタ４０４のインタフェース端４２２におけるコンタクト４３０（図１０参照）は、アダプタ４０４内の端子コンタクト４３４に電気的に接続されている。コンタクト４３０及び端子コンタクト４３４は、一体に形成されるか、或いは個別の形成されて印刷回路基板又は他の公知の方法で電気トレースを介して互いに電気的に接続されてもよい。また、アダプタ４０４は、電力デバイス、プロセッサ、容量性デバイス、誘導性デバイス、ＬＥＤ等の能動部品を有してもよく、電気信号を変更してもよい。
【００２７】
端子コンタクト４３４がジャック１０４のコンタクトパターンと相補的な配列すなわちパターンで配置されることにより、プラグコネクタ４０８（図９参照）がジャック１０４と接続することができる。端子コンタクトの配列は、アダプタハウジング４２０のインサート端４２２におけるコンタクト４３０の配列に対応するか、又は異なってもよい。一実施形態において、端子コンタクトは、アダプタ４０４を通る中心線Ｄの周囲に配列される。アダプタ４０４のインタフェース端４２２におけるコンタクト４３０と、異なるプラグコネクタのコンタクトパターンと相補的なアダプタ４０４の嵌合端４２６における端子コンタクト４３４との間の異なるパターンを含む、アダプタ４０４の多数の実施形態が考えられる。さらに、アダプタは、インタフェース端及び嵌合端、又はむしろ両側にインタフェースを有するものとして説明したが、別の実施形態において、アダプタは、一側にインタフェースを、他側にディスプレー、無線アクセスポイント又はセンサ等の端部デバイスを有してもよい。
【００２８】
前述の実施形態は、クロストーク等のノイズを最小にし、信号劣化を最小にして差動信号を伝送するプラグ１０２及び相手ジャック１０４を有する強化されたコネクタ組立体１００を提供する。プラグ１０２及びジャック１０４は各々、互いに差動対を分離すると共にクロストークを低減する内部及び外部のシールドを提供するオーガナイザを有する。プラグ１０２及びジャック１０４は、コネクタ組立体１００を通る信号経路の長さに対して対称である。コネクタ組立体は、強化されたリターンロス性能、低減されたクロストーク、低減された外部クロストーク及び低減されたスキューを含む、強化された伝送性能を提供する。
【００２９】
種々の特定実施形態で本発明を説明したが、当業者には、特許請求の範囲の真髄及び範囲内で本発明を変形して実施できることを理解されよう。
【図面の簡単な説明】
【００３０】
【図１】本発明の典型的な一実施形態に従って形成されたコネクタ組立体の斜視図である。
【図２】図１に示されたプラグコネクタの分解図である。
【図３】図２に示されたプラグハウジングを後方から見た斜視図である。
【図４】図１に示されたジャックコネクタの分解図である。
【図５】図４に示されたジャックハウジングを後方から見た斜視図である。
【図６】本発明の典型的な一実施形態に従って形成されたピンコンタクトの斜視図である。
【図７】本発明の典型的な一実施形態に従って形成されたソケットコンタクトの斜視図である。
【図８】壁取付けに使用される図１のコネクタ組立体の斜視図である。
【図９】本発明の典型的な一実施形態に従って形成されたインタフェースアダプタを有するコネクタ組立体の斜視図である。
【図１０】図９に示されたアダプタ及びジャックを前方から見た斜視図である。
【図１１】図１０に示されたアダプタ及びジャックを後方から見た分解図である。
【符号の説明】
【００３１】
１００  コネクタ組立体（電気コネクタ）
１１０  ハウジング
１１４  オーガナイザ
１１６  外部シールド
１２０  嵌合端
１２２  ワイヤ受容端
１２８  コンタクト
１３０  嵌合端
１３２  ワイヤ接続端
１３６  シュラウド
１４０  スロット（シールドスロット）
１４２  シールド部材
１４６  ラッチアーム
１４８  ラッチ要素
１６２  ワイヤガイド
１６６  中心開口
１６８  信号ワイヤ
１７６  ワイヤ補整スロット
２００  交差ウエブ（ウエブ）
２１０  ハウジング
２１２  オーガナイザ
２１４  外部シールド
２２０  嵌合端
２２２  ワイヤ受容端
２２６  井戸
２２８  コンタクト
２３０  嵌合端
２３２  ワイヤ接続端
２５４  ラッチアーム
２５６  ラッチ要素
２８０  交差ウエブ（ウエブ）
４０４  アダプタ
４２０  アダプタハウジング
４２２  インタフェース端
４２６  嵌合端
４３０  コンタクト（インタフェースコンタクト）
４３４  端子コンタクト（相手コンタクト）
【図１】
2008541354.tif 000003
【図２】
2008541354.tif 000004
【図３】
2008541354.tif 000005
【図４】
2008541354.tif 000006
【図５】
2008541354.tif 000007
【図６】
2008541354.tif 000008
【図７】
2008541354.tif 000009
【図８】
2008541354.tif 000010
【図９】
2008541354.tif 000011
【図１０】
2008541354.tif 000012
【図１１】
2008541354.tif 000013
【国際調査報告】
2008541354.tif 000014
2008541354.tif 000015
2008541354.tif 000016
2008541354.tif 000017
2008541354.tif 000018
2008541354.tif 000019